【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
前記遊技機に設けられた電気部品を制御する電子部品が搭載された回路基板と、
前記回路基板を収容するとともに、該回路基板の一面側を視認可能とする第１の透視部及び該回路基板の他面側を視認可能とする第２の透視部が設けられた基板ケースと、
前記遊技機に取り付けられる固定ベース部と、
前記基板ケースが取り付けられ、前記固定ベース部に対して、前記回路基板の一面側を前記第１の透視部を通して視認可能となる第１の位置と前記回路基板の他面側を前記第２の透視部を通して視認可能となる第２の位置との間で回動可能に支持される可動ベース部と、
前記遊技機に前記固定ベース部を取り付けるための取付部材と、
を備え、
前記基板ケースまたは前記可動ベース部には、前記第１の位置と前記第２の位置との間の回動範囲内において前記取付部材の取り外し操作を阻止する取外操作阻止部が形成され、
前記遊技機は、少なくとも前記固定ベース部と前記可動ベース部と前記基板ケースとを一体として解除不能に組み付けた組付状態において、前記固定ベース部からの前記可動ベース部の取り外し及び前記可動ベース部からの前記基板ケースの取り外しが不能化され、
前記固定ベース部は、前記第１の位置と前記第２の位置との回動範囲内において前記取外操作阻止部により前記遊技機から前記取付部材を取り外すことが阻止されることによって、少なくとも前記組付状態において前記遊技機からの取り外しが不能化され、
前記取外操作阻止部は、前記第１の位置と前記第２の位置との間の回動範囲内において前記取付部材の上方を覆う
ことを特徴とする遊技機。
【手続補正２】
【補正対象書類名】明細書
【補正対象項目名】０００９
【補正方法】変更
【補正の内容】
【０００９】
上記課題を解決するために、本発明の請求項１に記載の遊技機は、
所定の遊技を行うことが可能な遊技機であって、
前記遊技機に設けられた電気部品を制御する電子部品が搭載された回路基板と、
前記回路基板を収容するとともに、該回路基板の一面側を視認可能とする第１の透視部及び該回路基板の他面側を視認可能とする第２の透視部が設けられた基板ケースと、
前記遊技機に取り付けられる固定ベース部と、
前記基板ケースが取り付けられ、前記固定ベース部に対して、前記回路基板の一面側を前記第１の透視部を通して視認可能となる第１の位置と前記回路基板の他面側を前記第２の透視部を通して視認可能となる第２の位置との間で回動可能に支持される可動ベース部と、
前記遊技機に前記固定ベース部を取り付けるための取付部材と、
を備え、
前記基板ケースまたは前記可動ベース部には、前記第１の位置と前記第２の位置との間の回動範囲内において前記取付部材の取り外し操作を阻止する取外操作阻止部が形成され、
前記遊技機は、少なくとも前記固定ベース部と前記可動ベース部と前記基板ケースとを一体として解除不能に組み付けた組付状態において、前記固定ベース部からの前記可動ベース部の取り外し及び前記可動ベース部からの前記基板ケースの取り外しが不能化され、
前記固定ベース部は、前記第１の位置と前記第２の位置との回動範囲内において前記取外操作阻止部により前記遊技機から前記取付部材を取り外すことが阻止されることによって、少なくとも前記組付状態において前記遊技機からの取り外しが不能化され、
前記取外操作阻止部は、前記第１の位置と前記第２の位置との間の回動範囲内において前記取付部材の上方を覆う
ことを特徴としている。
本発明の手段１の遊技機は、
所定の遊技を行うことが可能な遊技機（スロットマシン１）であって、
前記遊技機に設けられた電気部品（１枚ＢＥＴスイッチ５、ＭＡＸＢＥＴスイッチ６、スタートスイッチ７、ストップスイッチ８Ｌ、８Ｃ、８Ｒ、投入メダルセンサ３１、リールモータ３２Ｌ、３２Ｃ、３２Ｒ、リールセンサ３３Ｌ、３３Ｃ、３３Ｒ、ホッパーモータ３４ｂ、払出センサ３４ｃ等）を制御する電子部品（メインＣＰＵ４１ａ等）が搭載された回路基板（遊技制御基板４０）と、
前記回路基板を収容するとともに、該回路基板の一面（実装面４０ａ）側を視認可能とする第１の透視部（透明な合成樹脂材にて形成された上部ケース２０２の全域）及び該回路基板の他面（４０ｂ）側を視認可能とする第２の透視部（透明な合成樹脂材にて形成された下部ケース２０１の全域）が設けられた基板ケース（２００）と、
前記遊技機に取り付けられる固定ベース部（固定ベース３０１）と、
前記基板ケースが取り付けられ、前記固定ベース部に対して、前記回路基板の一面側を前記第１の透視部を通して視認可能となる第１の位置（第１の回動規制位置Ａ）と前記回路基板の他面側を前記第２の透視部を通して視認可能となる第２の位置（第２の回動規制位置Ｂ）との間で回動可能、かつ着脱可能に支持される（図２２参照）可動ベース部（可動ベース３０２）と、
該可動ベース部から前記基板ケースを取り外した際に取り外した痕跡が残る（例えば切断片２３３が切断されることで取付封止片２３０、予備取付封止片２３１が上部ケース２０２から分離された痕跡）ように前記基板ケースを前記可動ベース部に取り付け可能なケース取付手段（ワンウェイネジ２４０ａ，２４０ｂ）と、
を備え、
前記基板ケースは、少なくとも前記固定ベース部と前記可動ベース部と前記基板ケースとを一体として解除不能に組み付けた組付状態において、前記第１の位置と前記第２の位置との間の回動範囲においても前記固定ベース部から前記可動ベース部が取り外されることを規制する規制部（板状片２２１）を備える
ことを特徴としている。
この特徴によれば、基板ケースを遊技機に取り付けた状態でも、固定ベース部に対して可動ベース部を回動させることで回路基板の一面側及び他面側を視認することができるため、回路基板に不正な改造が施されているか否かの確認作業を簡単に行うことができる。また、組付状態においては、固定ベース部から可動ベース部を取り外したり、可動ベース部から基板ケースを取り外した場合にはその痕跡が残ることになるため、遊技機から可動ベース部ごと基板ケースを取り外し、不正な回路基板を収容した基板ケースに掏りかえるといった不正行為が行われた可能性があることを発見することができる。また、基板ケースを可動ベース部から取り外すことにより可動ベース部を固定ベース部から取り外して交換することが可能となり、固定ベース部から可動ベース部が取り外されることを規制する手段等をケース取付手段とは別個に設ける必要がないので、構造を簡素化できるとともに作業負荷を低減することができる。
尚、前記固定ベース部は、遊技機の本体に取り付けられてもよいし、本体に設けられた付属部材等に取り付けられてもよい。
また、前記第１の透視部及び前記第２の透視部は、前記基板ケース内に収容された回路基板の一面側及び他面側を視認可能に設けられていれば、基板ケースの一部の領域に設けられていてもよいし、基板ケースの全域に設けられていてもよい。
【手続補正３】
【補正対象書類名】明細書
【補正対象項目名】００１０
【補正方法】変更
【補正の内容】
【００１０】
本発明の手段２の遊技機は、手段１に記載の遊技機であって、
前記基板ケース（２００）は、
前記可動ベース部（可動ベース３０２）に設けられる取付部（取付台座３１５の取付穴３１６ａ，３１６ｂ）に取り付けられる被取付部（取付封止片２３０、予備取付封止片２３１）と、
前記基板ケースの本体部から前記被取付部を分離可能とする分離部（切断片２３３）と、
を備え、
前記ケース取付手段（ワンウェイネジ２４０ａ，２４０ｂ）は、前記基板ケースの本体部から前記被取付部を前記分離部にて分離（切断）することにより前記可動ベース部から前記基板ケースを取り外した痕跡（切断片２３３を切断した痕跡）が残り、かつ、該分離部にて分離された前記被取付部が前記取付部に保持される（取付封止片２３０、予備取付封止片２３１は、可動ベース３０２に装着された取付台座３１５の取付穴３１６ａ，３１６ｂに取り付けられたワンウェイネジ２４０ａ，２４０ｂとともに取付台座３１５に保持される）ように前記基板ケースを前記可動ベース部に取り付け可能である
ことを特徴としている。
この特徴によれば、被取付部を基板ケースの本体部から分離して基板ケースを可動ベース部から取り外した場合でも、該被取付部が単体の部材とはならずに可動ベース部に残存するので、可動ベース部を交換する際に該可動ベース部とともに廃棄することができる。
【手続補正４】
【補正対象書類名】明細書
【補正対象項目名】００１１
【補正方法】変更
【補正の内容】
【００１１】
本発明の手段３の遊技機は、手段１または２に記載の遊技機であって、
前記電気部品（１枚ＢＥＴスイッチ５、ＭＡＸＢＥＴスイッチ６、スタートスイッチ７、ストップスイッチ８Ｌ、８Ｃ、８Ｒ、投入メダルセンサ３１、リールモータ３２Ｌ、３２Ｃ、３２Ｒ、リールセンサ３３Ｌ、３３Ｃ、３３Ｒ、ホッパーモータ３４ｂ、払出センサ３４ｃ等）と前記回路基板（遊技制御基板４０）との間に設けられ、前記電気部品と前記回路基板とを電気的に接続するための配線（ケーブル６００ａ〜６００ｃ等）と、
前記回路基板に設けられ、前記配線が着脱自在に接続される接続部（基板側コネクタ６２０ａ〜６２０ｃ）と、
を備え、
前記基板ケース（２００）は、前記回路基板が一辺（左側短辺）を中心に回動するように前記可動ベース部（可動ベース３０２）に取り付けられ、
前記接続部は、前記回路基板における前記一辺と、該一辺の反対側の他辺（右側短辺）との中間位置と、の間の領域（左側領域）に配設されている
ことを特徴としている。
この特徴によれば、基板ケースを回動した場合における接続部の回動半径が小さくなるため、配線を接続部から取り外さずに基板ケースを回動可能とする場合に、配線を極力短くすることができる。
【手続補正５】
【補正対象書類名】明細書
【補正対象項目名】００１２
【補正方法】変更
【補正の内容】
【００１２】
本発明の手段４の遊技機は、手段１〜３のいずれかに記載の遊技機であって、
前記固定ベース部（固定ベース３０１）または前記可動ベース部（可動ベース３０２）のうち一方（固定ベース３０１）に設けられる軸部（回動軸３３３）と、
前記固定ベース部または前記可動ベース部のうち他方（可動ベース３０２）に設けられ、前記軸部を軸支するとともに、前記可動ベース部が前記固定ベース部に対して特定の位置（着脱位置Ｃ）に位置するときに前記軸部を着脱可能に形成された軸支部（軸支溝３２０）と、
を含み、
前記規制部（板状片２２１）は、前記可動ベース部が少なくとも前記特定の位置に位置しているときに前記軸部に当接して該軸部の前記軸支部からの離脱を規制する軸規制部を含む
ことを特徴としている。
この特徴によれば、特殊な取り外し作業を行うことなく、可動ベース部を特定の位置まで回動させるだけで固定ベース部から簡単に取り外すことができるばかりか、組付状態では、特定の位置において軸規制部が軸部に直接当接して軸支部からの離脱が規制されるため、固定ベース部から可動ベース部が取り外されることが確実に防止される。
【手続補正６】
【補正対象書類名】明細書
【補正対象項目名】００１３
【補正方法】変更
【補正の内容】
【００１３】
本発明の手段５の遊技機は、手段１〜４のいずれかに記載の遊技機であって、
前記固定ベース部（固定ベース３０１）または前記可動ベース部（可動ベース３０２）のうち一方（固定ベース３０１）に設けられる軸部（回動軸３３３）と、
前記固定ベース部または前記可動ベース部のうち他方（可動ベース３０２）に設けられ、前記軸部を軸支するとともに、前記可動ベース部が前記固定ベース部に対して特定の位置（着脱位置Ｃ）に位置するときに前記軸部を着脱可能に形成された軸支部（軸支溝３２０）と、
を含み、
前記規制部（変形例の板状片２２１０）は、前記可動ベース部の少なくとも前記特定の位置への回動を規制する回動規制部（回動規制片２２１１）を含む
ことを特徴としている。
この特徴によれば、特殊な取り外し作業を行うことなく、可動ベース部を特定の位置まで回動させるだけで固定ベース部から簡単に取り外すことができるばかりか、組付状態では、回動規制部により特定の位置までの回動が規制されるため、固定ベース部から可動ベース部が取り外されることが確実に防止される。